(57)【特許請求の範囲】
【請求項１】
素材を説明するためのメタデータが蓄積された情報管理サーバと、前記素材を読み出して放送データに変換するデコーダと、前記素材の前記メタデータが表示される管理画面を表示する送出端末とを備え、前記送出端末で前記管理画面に表示された前記素材の前記メタデータを選択して前記デコーダに前記素材のスタンバイを指示する送出システムのスタンバイ指示方法であって、
前記送出端末において前記素材の固有ＩＤを受け付け、
受け付けた前記固有ＩＤに基づいて前記素材の前記メタデータを要求する固有ＩＤ検索指示要求を前記送出端末から前記情報管理サーバに送信し、
前記送出端末は、前記固有ＩＤ検索指示要求に対する応答がタイムアウトになると、前記固有ＩＤを前記管理画面に表示し、前記固有ＩＤに基づくスタンバイの指示を可能にし、
前記管理画面は、前記情報管理サーバと異なるシステムから配信される電子台本に収録された前記素材の前記メタデータを表示する電子台本表示部と、前記デコーダにスタンバイされた前記素材の前記メタデータが表示される出力ポート状況表示部とを有し、
前記送出端末は、スタンバイ処理が完了した前記デコーダからのスタンバイ通知を受信すると、前記電子台本表示部に表示されている前記メタデータを用いて、前記デコーダにスタンバイされた前記素材の前記メタデータを前記出力ポート状況表示部に表示することを特徴とする送出システムのスタンバイ指示方法。
【発明の詳細な説明】
【技術分野】
【０００１】
本発明は、映像／音声データを送信する送出システムに関し、特に映像／音声データのメタデータに基づいて送信する映像／音声データのスタンバイを指示する送出システムのスタンバイ指示方法に関する。
【背景技術】
【０００２】
例えばテレビジョン放送業務では、映像／音声データからなる素材（放送素材）をデコーダにスタンバイさせ、放送のスケジュールに従って、放送データを送出する送出システムが用いられている（例えば、特許文献１参照)。これらの送出システムにおいては、素材の送出を制御する送出制御装置が設けられ、送出制御装置に接続された送出端末の表示手段に表示される管理画面に、スタンバイされた素材の状況が表示されるように構成されている。また、映像再生中においてスタンバイしている素材のメタデータや静止画（サムネイル）を出力し、映像処理にて再生中の映像に重畳することで、映像再生中においてもスタンバイしている素材の確認や選択・指定を容易に行える送出システムも提案されている（例えば、特許文献２参照)。
【先行技術文献】
【特許文献】
【０００３】
【特許文献１】特開２００５−２１０４９０号公報
【特許文献２】特開２００９−５５２５５号公報
【発明の概要】
【発明が解決しようとする課題】
【０００４】
しかしながら、従来の送出システムにおいては、送出端末の表示手段に管理画面を表示し、管理画面に表示された素材のメタデータに基づいてスタンバイ指示が行われることになるが、メタデータを管理している情報管理サーバがダウンしてしまうと、情報管理サーバから素材のメタデータを取得できないため、管理画面に素材のメタデータを表示することができない。従って、管理画面上で素材を特定することができないため、スタンバイを指示することができないという問題があった。
【０００５】
本発明は斯かる問題点を鑑みてなされたものであり、その目的とするところは、情報管理サーバがダウンしてしまい、情報管理サーバから素材のメタデータを取得できなくても、スタンバイを指示することができる送出システムのスタンバイ指示方法を提供する点にある。
【課題を解決するための手段】
【０００６】
本発明に係る送出システムのスタンバイ指示方法は、上記の目的を達成するため、次のように構成される。
請求項１の送出システムのスタンバイ指示方法は、素材を説明するためのメタデータが蓄積された情報管理サーバと、前記素材を読み出して放送データに変換するデコーダと、前記素材の前記メタデータが表示される管理画面を表示する送出端末とを備え、前記送出端末で前記管理画面に表示された前記素材の前記メタデータを選択して前記デコーダに前記素材のスタンバイを指示する送出システムのスタンバイ指示方法であって、前記送出端末において前記素材の固有ＩＤを受け付け、受け付けた前記固有ＩＤに基づいて前記素材の前記メタデータを要求する固有ＩＤ検索指示要求を前記送出端末から前記情報管理サーバに送信し、前記送出端末は、前記固有ＩＤ検索指示要求に対する応答がタイムアウトになると、前記固有ＩＤを前記管理画面に表示し、前記固有ＩＤに基づくスタンバイの指示を可能にし、前記管理画面は、前記情報管理サーバと異なるシステムから配信される電子台本に収録された前記素材の前記メタデータを表示する電子台本表示部と、前記デコーダにスタンバイされた前記素材の前記メタデータが表示される出力ポート状況表示部とを有し、前記送出端末は、スタンバイ処理が完了した前記デコーダからのスタンバイ通知を受信すると、前記電子台本表示部に表示されている前記メタデータを用いて、前記デコーダにスタンバイされた前記素材の前記メタデータを前記出力ポート状況表示部に表示することを特徴とする。
【発明の効果】
【０００７】
本発明の送出システムのスタンバイ指示方法は、情報管理サーバがダウンしてしまい、情報管理サーバから素材のメタデータを取得できなくても、スタンバイさせる素材を選択することができ、スタンバイを指示することができるという効果を奏する。
【図面の簡単な説明】
【０００８】
【図１】本発明に係る送出システムの実施の形態の構成を示すブロック図である。
【図２】図１に示す送出端末に表示される管理画面例を示す図である。
【図３】固有ＩＤ検索指示入力画面例を示す図である。
【図４】固有ＩＤ検索指示から検索結果表示までの第１のシーケンスを示す図である。
【図５】図１に示す情報管理サーバがダウンしている場合の固有ＩＤ検索指示から検索結果表示までの第１のシーケンスを示す図である。
【図６】図１に示す情報管理サーバがダウンしている場合に固有ＩＤ検索によって表示された管理画面例を示す図である。
【図７】スタンバイ指示からスタンバイ状況表示までの第２のシーケンスを示す図である。
【図８】スタンバイ指示からスタンバイ状況表示までの従来のシーケンスを示す図である。
【図９】図１に示す電子台本制作システムにおけるスタンバイ指示からスタンバイ状況表示までの第３のシーケンスを示す図である。
【発明を実施するための形態】
【０００９】
以下に、本発明の好適な実施の形態を添付図面に基づいて説明する。
【００１０】
本実施の形態の送出システムは、図１を参照すると、情報管理サーバ１と、デコーダ２と、電子台本制作システム３と、送出制御装置４と、サムネイル管理サーバ５とがＬＡＮ（Local Area Network）等のネットワーク６によって接続されている。
【００１１】
情報管理サーバ１は、フラッシュメモリやＤＲＡＭ（ダイナミック・ラム）等の半導体メモリの記憶媒体であるＳＳＤ（ソリッド・ステート・ディスク）やＨＤＤ（ハードディスクドライブ）等を備えたサーバであり、放送用に送出する素材となる映像や音声や文字データ等の素材（放送素材）が、素材を説明するためのメタデータ（タイトル名等）と共に蓄積されたデータベースを備えている。
【００１２】
デコーダ２は、プログラム制御によって動作する情報処理装置であり、素材を一時記憶するバッファと、ＤＳＰ（デジタル・シグナル・プロセッサ）等とを備えている。デコーダ２は、送出制御装置４からのスタンバイ指示に従い、情報管理サーバ１から素材を読み出してバッファに蓄積、すなわち放送する素材をスタンバイさせ、放送局用のＨＤ−ＳＤＩやＳＤ−ＳＤＩフォーマット、デジタル画像（ＭＰＥＧ２等）、アナログの電波信号等の放送データに変換するデコード処理を行う。
【００１３】
電子台本制作システム３は、プログラム制御によって動作する情報処理装置であり、情報管理サーバ１に蓄積されている素材を収録した電子台本を制作する機能と、制作された電子台本に基づいて素材を放送させる機能とを有する。なお、電子台本制作システム３で制作された電子台本は、スタンバイの指示に先立って、送出制御装置４に配信される。
【００１４】
送出制御装置４は、プログラム制御によって動作する情報処理装置であり、マンマシンインタフェース（man machine interface）として機能する送出端末４０が接続されている。送出制御装置４は、情報管理サーバ１に蓄積されている素材を検索する機能と、送出端末４０からのスタンバイ指示や電子台本制作システム３から配信された電子台本に基づいて情報管理サーバ１に蓄積されている素材をデコーダ２にスタンバイさせる機能とを有している。
【００１５】
サムネイル管理サーバ５は、フラッシュメモリやＤＲＡＭ（ダイナミック・ラム）等の半導体メモリの記憶媒体であるＳＳＤ（ソリッド・ステート・ディスク）やＨＤＤ（ハードディスクドライブ）等を備えたサーバであり、放送用に送出する素材のサムネイル画像が蓄積されている。サムネイル画像としては、例えば、再生開始位置の静止画像等が用いられる。
【００１６】
送出端末４０は、マウス等の入力手段やＬＥＤ等の表示手段を有しており、図２に示すようなスタンバイ状況を表示する管理画面４１が表示される。管理画面４１は、検索結果表示部４２と、電子台本表示部４３と、出力ポート状況表示部４４と、ＳＥＴボタン４５と、ＥＪＥＣＴボタン４６と、カテゴリー検索ボタン４７と、台本検索ボタン４８と、固有ＩＤ検索ボタン４９とで構成されている。検索結果表示部４２は、情報管理サーバ１に蓄積されている素材を検索した際に、検索された素材のメタデータが検索結果として表示される領域であり、電子台本表示部４３は、電子台本制作システム３で制作された電子台本に収録されている素材のメタデータが表示される領域であり、出力ポート状況表示部４４は、デコーダ２にスタンバイ、すなわちバッファに蓄積されている状態の素材のメタデータが表示される領域である。なお、図２に示す検索結果表示部４２および出力ポート状況表示部４４には、サムネイルと共に、素材の「タイトル名」および素材に付与されている「固有ＩＤ」からなるメタデータが表示されている例が、図２に示す電子台本表示部４３には、サムネイルと共に、「タイトル名」、「固有ＩＤ」、素材が撮影された「撮影場所・時間」からなるメタデータが表示されている例がそれぞれ示されている。また、ＳＥＴボタン４５は、検索結果表示部４２および電子台本表示部４３で選択された素材（メタデータ）のスタンバイを指示するボタンであり、ＥＪＥＣＴボタン４６は、スタンバイの解除を指示するためのボタンである。さらに、カテゴリー検索ボタン４７は、素材のメタデータに含まれるカテゴリーを条件とする検索を指示するボタンであり、台本検索ボタン４８は、台本の単位の検索を指示するボタンであり、固有ＩＤ検索ボタン４９は、素材に付与されている固有ＩＤを条件とする検索を指示するボタンである。
【００１７】
次に、固有ＩＤ検索指示から検索結果表示までの第１のシーケンスについて図３乃至図６を参照して説明する。
送出端末４０において、操作者がカテゴリー検索ボタン４７、台本検索ボタン４８もしくは固有ＩＤ検索ボタン４９を押下し、素材のメタデータに含まれるカテゴリー、台本の単位、素材のメタデータのキーとなる固有ＩＤ等の検索条件を入力して素材の検索を指示することができる構成となっている。
【００１８】
以下、固有ＩＤ検索ボタン４９を押下し、素材のメタデータのキーとなる固有ＩＤを検索条件として検索する第１のシーケンス例について説明する。
送出端末４０において、操作者が固有ＩＤ検索ボタン４９を押下すると、図３に示すような固有ＩＤ検索指示入力画面５０が表示され、固有ＩＤ検索指示入力画面５０において固有ＩＤを入力して検索を指示すると、図４に示すように、送出端末４０は、入力された固有ＩＤを検索条件として含む固有ＩＤ検索指示要求を送出制御装置４経由で情報管理サーバ１に送信する（ステップＡ１）。なお、送出端末４０から情報管理サーバ１への各種要求は、ネットワーク６を介し、例えばＨＴＴＰプロトコルを用いて行われる。
【００１９】
情報管理サーバ１は、固有ＩＤ検索指示要求を受信すると、固有ＩＤ検索指示要求に含まれている固有ＩＤに基づいてデータベース検索を行い（ステップＡ２）、固有ＩＤに該当する素材のメタデータをメタデータ取得指示応答として送出制御装置４経由で送出端末４０に送信する（ステップＡ３）。送出端末４０は、メタデータ取得指示応答を受信すると、固有ＩＤに該当した素材のメタデータを検索結果表示部４２に表示させる（ステップＡ４）。次に、送出端末４０は、固有ＩＤを含むサムネイル取得指示要求を送出制御装置４経由でサムネイル管理サーバ５に送信する（ステップＡ５）。
【００２０】
サムネイル管理サーバ５は、サムネイル取得指示要求を受信すると、固有ＩＤに該当した素材のサムネイルを検索し（ステップＡ６）、検索したサムネイルをサムネイル取得応答として送出制御装置４経由で送出端末４０に送信する（ステップＡ７）。送出端末４０は、サムネイルをサムネイル取得応答として受信すると、検索結果表示部４２の該当個所にサムネイルを表示させる（ステップＡ８）。
【００２１】
これにより、検索結果表示部４２に素材のメタデータ及びサムネイルが表示され、操作者は、検索結果表示部４２に表示された素材を選択し、ＳＥＴボタン４５を押下することでスタンバイ制御を行うことが可能になる。しかしながら、上記操作は情報管理サーバ１がダウンすると、第１のシーケンスが実行されず、検索結果表示部４２に何も表示できないため、スタンバイ指示もできなくなってしまう。
【００２２】
そこで本実施の形態おいては、固有ＩＤ検索を行った際に情報管理サーバ１がダウンしている場合には、入力した固有ＩＤを検索結果として検索結果表示部４２にそのまま表示させるように構成されている。
図５を参照すると、送出端末４０が固有ＩＤ検索指示要求を送出制御装置４経由で情報管理サーバ１に送信しても（ステップＡ１）、情報管理サーバ１のダウン等が原因で、情報管理サーバ１から送出端末４０への応答が所定時間内にない場合には、送出端末４０は、タイムアウトを検出し（ステップＢ１）、入力した固有ＩＤを検索結果として検索結果表示部４２にそのまま表示させる（ステップＢ２）。なお、ステップＢ１、Ｂ２は、完全一致で固有ＩＤ検索を行う場合のみに適用される。すなわち、部分一致で固有ＩＤ検索を行う場合や、カテゴリー、台本の単位による検索では、データベース内に合致するメタデータが複数あるため、実際に検索してみないと検索条件に該当する素材の件数が確定しないが、完全一致で固有ＩＤ検索を行う場合には、固有ＩＤによって検索を行わなくとも、固有ＩＤによって１件の素材を特定することができる。
【００２３】
次に、ステップＡ５〜Ａ８の手順で検索結果表示部４２の該当個所にサムネイルを表示させる。これにより、図６に示すように、固有ＩＤとサムネイルとが検索結果表示部４２に検索結果として表示され、操作者は、検索結果表示部４２に表示された素材を選択し、ＳＥＴボタン４５を押下することでスタンバイ制御を行うことが可能になる。スタンバイ制御は固有ＩＤをキーにして実行可能である。また、スタンバイ制御をＲＳ−４２２等によるシリアル制御とし、メタデータ取得とは制御系統を分離することでシステムダウン時の影響を抑えることができる。
【００２４】
次に、送出端末４０におけるスタンバイ指示からスタンバイ状況表示までの第２のシーケンスについて図７を参照して説明する。
図７を参照すると、送出端末４０において、操作者が管理画面４１の検索結果表示部４２や電子台本表示部４３に表示されている素材（メタデータ）を選択し（ステップＣ１）、スタンバイ指示入力としてＳＥＴボタン４５を押下することで（ステップＣ２）、送出端末４０は、選択された素材を特定する固有ＩＤを含むスタンバイ指示を送出制御装置４経由でデコーダ２に送信する（ステップＣ３）。
【００２５】
デコーダ２は、スタンバイ指示を受信すると、スタンバイ指示に基づいて情報管理サーバ１から素材をバッファに読み込んで蓄積するスタンバイ処理を実行し（ステップＣ４）、スタンバイ処理が完了すると、スタンバイされた素材を特定する固有ＩＤを含むスタンバイ通知を送出制御装置４経由で送出端末４０に送信する（ステップＣ５）。
【００２６】
送出端末４０は、スタンバイ通知を受信すると、検索結果表示部４２や電子台本表示部４３の表示されているメタデータ及びサムネイル、すなわちステップＣ１で選択した素材のメタデータ及びサムネイルを用いて、スタンバイされた素材のメタデータ及びサムネイルを出力ポート状況表示部４４に表示し、デコード状況を表示させる（ステップＣ６）。具体的には、送出端末４０は、ステップＣ２でＳＥＴボタン４５が押下された時点で、検索結果表示部４２および電子台本表示部４３の表示されているメタデータ及びサムネイルと、素材を特定する固有ＩＤとを対応づけたインデックスを保持しておき、スタンバイ通知を受信すると、スタンバイされた素材を特定する固有ＩＤに基づいて、検索結果表示部４２や電子台本表示部４３の表示されているメタデータ及びサムネイルを特定して出力ポート状況表示部４４に表示させる。なお、検索結果表示部４２や電子台本表示部４３の表示されているメタデータ及びサムネイルは、素材のメタデータ及びサムネイルが変更されると、更新されるように構成されており、情報管理サーバ１とやり取りできる間で最新の情報に更新される。従って、図３に示す第１のシーケンスでも最新のメタデータ及びサムネイルを表示されることができ、また、情報管理サーバ１との接続が途絶えていても送出端末４０が知りうる最新のメタデータを表示させることができる。
【００２７】
図８には、スタンバイ指示からスタンバイ状況表示までの従来のシーケンスが示されている。
ステップＣ５までは、図７に示す本実施の形態の第１のシーケンスと同様であり、送出端末４０は、スタンバイ通知を受信すると、スタンバイされた素材を特定する固有ＩＤを含むメタデータ取得指示要求を送出制御装置４経由で情報管理サーバ１に送信する（ステップＤ１）。
【００２８】
情報管理サーバ１は、メタデータ取得指示要求を受信すると、スタンバイされた素材に対応するメタデータを生成させ（ステップＤ２）、生成させたメタデータをメタデータ取得指示応答として送出制御装置４経由で送出端末４０に送信する（ステップＤ３）。
【００２９】
送出端末４０は、メタデータ取得指示応答を受信すると、取得したメタデータを用いて、スタンバイされた素材のメタデータを出力ポート状況表示部４４に表示し、デコード状況を表示させる（ステップＤ４）。このように、従来のシーケンスでは、スタンバイ完了後、情報管理サーバ１からメタデータを取得していたが、実際にスタンバイが行われてからメタデータを管理画面４１の出力ポート状況表示部４４に表示するまでの時間は、情報管理サーバ１の処理性能に左右されるため、場合によってメタデータの取得が遅くなり、管理画面４１の出力ポート状況表示部４４にスタンバイしたことを表示するまでに時間がかかってしまう虞があった。また、情報管理サーバ１からのメタデータの取得がタイムアウトやＮＧ応答になるとメタデータを表示することができず、ひいてはスタンバイに失敗したことを意味する表示となってしまう、
【００３０】
次に、電子台本制作システム３におけるスタンバイ指示からスタンバイ状況表示までの第３のシーケンスについて図９を参照して説明する。
図５を参照すると、電子台本制作システム３において制作された電子台本は、送出制御装置４経由で送出端末４０に配信され（ステップＥ１）、送出端末４０は、配信された電子台本、すなわち電子台本に収録された素材のメタデータを管理画面４１の電子台本表示部４３に表示する（ステップＥ２）。
【００３１】
電子台本制作システム３によって、電子台本に収録された素材を特定する固有ＩＤを含むスタンバイ指示が送出制御装置４経由でデコーダ２に送信されると（ステップＥ３）、デコーダ２は、スタンバイ指示を受信し、スタンバイ指示に基づいて情報管理サーバ１から素材をバッファに読み込んで蓄積するスタンバイ処理を実行し（ステップＥ４）、スタンバイ処理が完了すると、スタンバイされた素材を特定する固有ＩＤを含むスタンバイ通知を電子台本制作システム３と、送出制御装置４経由で送出端末４０とに送信する（ステップＥ５）。
【００３２】
送出端末４０は、スタンバイ通知を受信すると、電子台本表示部４３の表示されているメタデータ、を用いて、スタンバイされた素材のメタデータを出力ポート状況表示部４４に表示し、デコード状況を表示させる（ステップＥ６）。具体的には、電子台本表示部４３の表示されているメタデータと、素材を特定する固有ＩＤとを対応づけたインデックスを保持しておき、スタンバイ通知を受信すると、スタンバイされた素材を特定する固有ＩＤに一致するメタデータを特定して出力ポート状況表示部４４に表示させる。
【００３３】
上述の説明のように本実施の形態によれば、送出端末４０は、デコーダ２からのスタンバイ通知を受信すると、情報管理サーバ１と通信を行うことなく、管理画面４１における出力ポート状況表示部４４以外の検索結果表示部４２や電子台本表示部４３に表示されているメタデータを用いて、デコーダ１にスタンバイされた素材のメタデータを出力ポート状況表示部４４に表示するように構成することにより、情報管理サーバとの通信時間を削減することで、スタンバイされた素材のメタデータを遅滞なく表示させることができるという効果を奏する。また、情報管理サーバ１と通信すること自体を抑えるため、情報管理サーバ１との通信負荷を抑えることができる。さらに、情報管理サーバ１との通信に失敗してもメタデータの表示が可能なため、スタンバイの状況表示をより正確に行うことができる。
【００３４】
以上のように、本実施の形態は、以下に示す構成を有する。
（１）、素材を説明するためのメタデータが蓄積された情報管理サーバと、前記素材を読み出して放送データに変換するデコーダと、前記情報管理サーバから取得した前記素材の前記メタデータが表示される管理画面を表示する送出端末とを備え、前記送出端末で前記管理画面に表示された前記素材の前記メタデータを選択して前記デコーダに前記素材のスタンバイを指示する送出システムのスタンバイ指示方法であって、前記送出端末において前記素材の固有ＩＤを受け付け、受け付けた前記固有ＩＤに基づいて前記素材の前記メタデータを要求する固有ＩＤ検索指示要求を前記送出端末から前記情報管理サーバに送信し、前記送出端末は、前記固有ＩＤ検索指示要求に対する応答がタイムアウトになると、前記固有ＩＤを前記管理画面に表示し、前記固有ＩＤに基づくスタンバイの指示を可能にすることを特徴とする。
【００３５】
（２）、また、送出システムの管理画面表示方法は、素材及び当該素材を説明するためのメタデータが蓄積された情報管理サーバと、該情報管理サーバに蓄積されている前記素材を読み出して放送データに変換するデコーダと、該デコーダにスタンバイされた前記素材の前記メタデータが表示される出力ポート状況表示部を有する管理画面を表示する送出端末とを備えた送出システムの管理画面表示方法であって、前記送出端末は、前記デコーダからのスタンバイ通知を受信すると、前記情報管理サーバと通信を行うことなく、前記管理画面における前記出力ポート状況表示部以外の領域に表示されている前記メタデータを用いて、前記デコーダにスタンバイされた前記素材の前記メタデータを前記出力ポート状況表示部に表示することを特徴とする。
【００３６】
（３）、（２）の構成に加えて、前記管理画面は、前記情報管理サーバに蓄積されている前記素材の中から検索された前記素材の前記メタデータを表示する検索結果表示部を有し、前記送出端末は、前記デコーダからのスタンバイ通知を受信すると、前記検索結果表示部に表示されている前記メタデータを用いて、前記デコーダにスタンバイされた前記素材の前記メタデータを前記出力ポート状況表示部に表示することを特徴とする。
【００３７】
（４）、（２）又は（３）の構成に加えて、前記管理画面は、電子台本に収録された前記素材の前記メタデータを表示する電子台本表示部を有し、前記送出端末は、前記デコーダからのスタンバイ通知を受信すると、前記電子台本表示部に表示されている前記メタデータを用いて、前記デコーダにスタンバイされた前記素材の前記メタデータを前記出力ポート状況表示部に表示することを特徴とする。
【００３８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３９】
１  情報管理サーバ
２  デコーダ
３  電子台本制作システム
４  送出制御装置
５  サムネイル管理サーバ
６  ネットワーク
４０  送出端末
４１  管理画面
４２  検索結果表示部
４３  電子台本表示部
４４  出力ポート状況表示部
４５  ＳＥＴボタン
４６  ＥＪＥＣＴボタン
４７  カテゴリー検索ボタン
４８  台本検索ボタン
４９  固有ＩＤ検索ボタン
５０  固有ＩＤ検索指示入力画面
【図１】
0005809433.tif 000002
【図２】
0005809433.tif 000003
【図３】
0005809433.tif 000004
【図４】
0005809433.tif 000005
【図５】
0005809433.tif 000006
【図６】
0005809433.tif 000007
【図７】
0005809433.tif 000008
【図８】
0005809433.tif 000009
【図９】
0005809433.tif 000010